(57)【要約】【課題】複数の電源のうち、何れかの電源が喪失した場合に、インバータの出力を制限することにより、システムを停止させることなく、運転を継続することができる電動機駆動装置を提供すること。【解決手段】直流電源１１Ａが突然喪失した場合、電源電圧急激低下検出手段２１Ａが、直流電源１１Ａの電圧が急激に低下したことを検出し、電源喪失したことを認識する。このまま運転を継続すると、インバータ１２に供給している電力が、直流電源１１Ｂに片寄り、過負荷状態となり、トリップすると運転継続ができなくなるので、速度制御部１４は、電流指令の制限値を下げることにより、インバータ１２に供給する電力を抑え、直流電源１１Ｂが過負荷となるのを防き、システム運転を継続する。【選択図】  図３
2015208156.tif 000002
【特許請求の範囲】
【請求項１】
信頼性向上のためインバータの入力に並列に接続された２台の直流電源と、
前記直流電源に各々接続され、直流電力を交流電力に変換するインバータと、
前記インバータにより駆動される交流電動機の回転速度を検出する回転検出器と、
前記回転検出器から出力される回転速度検出値と外部から指定される回転速度指令との偏差が小さくなるように制御して電流指令を生成する速度制御部と、
前記直流電源の電圧が急激に低下したことを検知する電源電圧急激低下検出手段と、
前記電源電圧急激低下検出手段で前記直流電源の急激な低下を検出した時に、前記速度制御部の電流指令の制限値を下げる電流指令制限設定部と、
前記インバータの出力電流検出値と前記電流指令制限設定部で設定された電流指令との偏差が小さくなるように電圧指令を生成する電流制御部と、
前記電流制御部による電圧指令に基づいて前記インバータを制御するインバータ制御部と、
を備え、
前記電源電圧急激低下検出手段で前記直流電源の急激な低下を検出した時に、前記電流指令制限設定部により電流指令の制限値を下げることにより前記インバータに供給する電力を抑え、前記直流電源が過負荷になることを防止することを特徴とする電動機駆動装置。
【請求項２】
前記２台の直流電源と前記インバータの間に遮断器を備え、
前記遮断器により一方の直流電源が遮断されたときに、前記速度制御部の電流指令の制限値を下げることにより、供給している他方の直流電源が過負荷になるのを防ぐことを特徴とする請求項１に記載の電動機駆動装置。
【請求項３】
前記インバータ制御部は、
前記電流制御部の電圧指令が飽和したとき、前記電流指令の制限値を下げることにより、供給している側の直流電源が過負荷になるのを防ぐ
ことを特徴とする請求項１に記載の電動機駆動装置。
【請求項４】
前記インバータ制御部はまた、
前記直流電源を３台以上備え、いずれか１台以上かつ総台数未満の前記直流電源が喪失したときに、前記速度制御部の電流指令の制限値を下げることにより、供給している側の直流電源が過負荷になるのを防ぐことを特徴とする請求項１又は請求項３に記載の電動機駆動装置。
【発明の詳細な説明】
【技術分野】
【０００１】
本発明は、複数の異なる電源で電動機を駆動する電動機駆動装置に関する。
【背景技術】
【０００２】
電力変換器で電動機を駆動する電動機駆動装置において、複数の電源で電力を供給する場合がある。
【０００３】
複数の電源を使って、電動機の出力容量一杯の電力を供給する場合、各電源の運転停止状況により電源容量を超えてトリップが発生することがある。
【０００４】
例えば、出力電流の制限レベルを２通り設定し、負荷の状況に応じて設定を切替えることにより、高負荷時において電動機およびインバータの過負荷保護機能が動作しないようにする方法が提案されている（例えば、特許文献１参照）。
【先行技術文献】
【特許文献】
【０００５】
【特許文献１】特開２００５−２６９８１４号公報
【発明の概要】
【発明が解決しようとする課題】
【０００６】
特許文献１に示された手法においては、電動機およびインバータの過負荷保護に使用する電子サーマルの値が予め設定された値を堺にして、出力電流の制限レベルを切換えることにより、電動機およびインバータが過負荷にならないようにしている。
【０００７】
しかし、複数の電源のうち１台の電源が喪失する等、電源容量が減った場合、電動機およびインバータが過負荷にならなくても、電源側が過負荷となる場合がある。その場合、電源の保護機能が働き、電源が遮断されることにより、モータに供給される電力が喪失してしまう。
【０００８】
一方、過負荷により電源の電圧が降下した場合、入力不足電圧等の保護動作でインバータが急停止した場合、負荷が急激に喪失したことにより電源側の電圧が跳ね上がり、過電圧が発生することがある。同じ電源系統に接続された機器が他にあった場合、これらの機器の過電圧保護等が働き停止してしまう。
【０００９】
本発明は上記問題点に鑑みてなされたもので、複数の電源の内、いずれかの電源が喪失した場合に、インバータの出力を制限することにより、システムを停止させることなく、運転を継続することができる電動機駆動装置を提供することを目的とする。
【課題を解決するための手段】
【００１０】
上記目的を達成するために、本発明の電動機駆動装置は、信頼性向上のためインバータの入力に並列に接続された２台の直流電源と、前記直流電源に各々接続され、直流電力を交流電力に変換するインバータと、前記インバータにより駆動される交流電動機の回転速度を検出する回転検出器と、前記回転検出器から出力される回転速度検出値と外部から指定される回転速度指令との偏差が小さくなるように制御して電流指令を生成する速度制御部と、前記直流電源の電圧が急激に低下したことを検知する電源電圧急激低下検出手段と、前記電源電圧急激低下検出手段で前記直流電源の急激な低下を検出した時に、前記速度制御部の電流指令の制限値を下げる電流指令制限設定部と、前記インバータの出力電流検出値と前記電流指令制限設定部で設定された電流指令との偏差が小さくなるように電圧指令を生成する電流制御部と、前記電流制御部による電圧指令に基づいて前記インバータを制御するインバータ制御部と、を備え、前記電源電圧急激低下検出手段で前記直流電源の急激な低下を検出した時に、前記電流指令制限設定部により電流指令の制限値を下げることにより前記インバータに供給する電力を抑え、前記直流電源が過負荷になることを防止することを特徴とする。
【発明の効果】
【００１１】
本発明によれば、供給している片方の電源が過負荷になり、保護動作によって電源が遮断されるのを防ぐことが可能となる電動機駆動装置を提供することができる。
【図面の簡単な説明】
【００１２】
【図１】本発明の実施例１に係る電動機駆動装置のブロック構成図。
【図２】電源電圧急激低下検出手段のブロック図。
【図３】電源電圧急激低下検出方法を説明する図。
【図４】本発明の実施例２に係る電動機駆動装置のブロック構成図。
【図５】本発明の実施例３に係る電動機駆動装置のブロック構成図。
【発明を実施するための形態】
【００１３】
以下、図面を参照して本発明の実施例について説明する。
【実施例１】
【００１４】
図１は、本発明の実施例１に係る電動機駆動装置１００のブロック構成図である。
【００１５】
電動駆動装置１００は、直流電源１１Ａ・１１Ｂ、電源電圧急激低下検出手段２１Ａ・２１Ｂ、インバータ１２、回転検出器２、速度制御部１４、電流指令制限設定部１５、制御部１６及び遮断器３１Ａ・３１Ｂなどを有して構成される。
【００１６】
図において、交流電動機１は、インバータ１２の出力によって駆動される。インバータ１２は、直流電源１１Ａ、１１Ｂからの直流電力を交流電力に変換する。なお、本実施例では、信頼性向上のために上記インバータ１２の入力に２台の直流電源が並列に接続された場合を例に説明する。
【００１７】
速度制御部１４は、速度指令と、回転検出器２から与えられる回転速度フィードバックとの偏差を減少させるように電流指令を生成し速度制御を行う。
【００１８】
電流指令制限設定部１５は、速度制御部１４からの電流指令１４Ａが電流指令制限値を超えないように制限をし、電流制御部１３に電流指令１５Ａを出力する。
【００１９】
電流制御部１３は、この電流指令１５Ａと、インバータ１２の出力電流との偏差を減少させるように電圧指令１３Ａを生成し電流制御を行う。
【００２０】
電源電圧急激低下検出手段２１Ａ、２１Ｂは、直流電源１１Ａ、１１Ｂの電圧を監視し、電圧が急激に低下したときに電源喪失したことを検出する。
【００２１】
制御部１６は、上述した電流制御部１３からの電圧指令１３Ａを受け、インバータ１２を構成するスイッチング素子のゲート端子（図示しない）を制御し、電動機１に対して交流電力を供給する。
【００２２】
図２は、電源電圧急激低下検出手段２１Ａ、２１Ｂのブロック構成図である。電源電圧急激低下検出手段２１Ａ、２１Ｂは、基準電圧発生部４１Ａ・４１Ｂ、比較演算部４２Ａ・４２Ｂ、信号遅延部４３Ａ・４３Ｂ及び連続信号検出部４４などを有して構成される。
【００２３】
基準電圧発生部４１Ａ、４１Ｂは、異なる基準電圧Ｅ１、Ｅ２を発生する。基準電圧Ｅ１、Ｅ２は、例えば、基準電圧Ｅ１は高い電圧値とし、基準電圧Ｅ２は低い電圧値に設定される。詳細は後述する。
【００２４】
比較演算部４２Ａ、４２Ｂは、直流電源１１Ａ、１１Ｂの電圧と基準電圧Ｅ１、Ｅ２とを比較する。
【００２５】
信号遅延部４３Ａ、４３Ｂは、比較演算部４２Ａ、４２Ｂの出力信号を遅延する。
【００２６】
連続信号検出部４４は、信号遅延部４３Ａ、４３Ｂの信号が所定の時間内に連続して出力されたときに電源電圧が急激に低下したことを検出する。
【００２７】
図３は、電源電圧急激低下検出方法を説明する図である。以下、図２、図３を参考にしながら説明する。
【００２８】
図３（１）は、直流電源の電源電圧が時間軸に対して急減する直流電源電圧（ａ）（以下、電源電圧（ａ）と称する。）の場合及び電源電圧が一時的に低下したが復帰した直流電源電圧（ｂ）（以下、電源電圧（ｂ）と称する。）と、基準電圧Ｅ１及びＥ２との関係を示す図である。
【００２９】
図３（２）は、電源電圧（ａ）と基準電圧Ｅ１とを比較演算部４２Ａで比較した出力信号を信号遅延部４３Ａで遅延した４２Ａ出力遅延信号（ａ）である。
【００３０】
図３（３）は、電源電圧（ｂ）と基準電圧Ｅ１とを比較演算部４２Ａで比較した出力信号を信号遅延部４３Ａで遅延した４２Ａ出力遅延信号（ｂ）である。この場合は、ｔ１で直流電圧急減が検出されるが、所定の時間内に復帰しているため、電源電圧の急減低下は検出されない。
【００３１】
図３（４）は、電源電圧（ａ）と基準電圧Ｅ２とを比較演算部４２Ｂで比較した出力信号を信号遅延部４３Ｂで遅延した４２Ｂ出力遅延信号（ａ）である。
【００３２】
図３（５）は、電源電圧急激低下検出信号である。上記図３（２）及び図３（４）に基づいて電源電圧急激低下が検出された場合の信号である。
【００３３】
連続信号検出部４４は、電源電圧（ａ）の場合は、基準電圧Ｅ１以下の電圧になってから連続して基準電圧Ｅ２以下になるため、電源電圧急激低下が検出される（図３（５））。
【００３４】
以下、本実施例の具体例を説明する。信号遅延部４３Ａ、４３Ｂは、比較演算部４２Ａ、４２Ｂの出力信号を遅延（上記所定時間Ｔｄに相当）させ、所定時間Ｔｄ以下の信号の変化をマスクすることにより電源電圧（ｂ）のような瞬間的な変化に対する誤動作を防止している。
【００３５】
信号遅延部４３Ａ、４３Ｂの信号が所定の時間Ｔｄ内に連続して基準電圧Ｅ１及びＥ２以下の場合に、電源電圧が急激に低下したと判断する。
【００３６】
図示した例の場合、電源電圧（ａ）は、タイミングｔ１で基準電圧Ｅ１以下となり、所定時間Ｔｄを経過する前のタイミングｔ３で基準電圧Ｅ２以下となり、所定時間Ｔｄ経過時にも、基準電圧Ｅ２以下となっており、上述した電源電圧が急激に低下したと判断される（同図（２）、（４）、（５））。
【００３７】
一方、電源電圧（ｂ）は、タイミングｔ１で基準電圧Ｅ１以下となり、所定時間Ｔｄを経過する前のタイミングｔ２で復帰しており、所定時間Ｔｄ経過時にも復帰状態が継続しており、上述した電源電圧が急激に低下したものとは見なされない（同図（３））。
【００３８】
ここで、例えば、直流電源１１Ａが突然喪失した場合、電源電圧急激低下検出手段２１Ａが、直流電源１１Ａの電圧が急激に低下したことを検出し、電源喪失したことを認識する。このまま運転を継続すると、インバータ１２に供給している電力が、直流電源１１Ｂに片寄り、過負荷状態となるため、トリップすると運転継続ができなくなる。
【００３９】
そこで、電流指令の制限値を下げることによりインバータ１２に供給する電力を抑えることにより、直流電源１１Ｂが過負荷となるのを防き、システム運転を継続することができる。
【００４０】
また、直流電源が３台以上ある場合にも、同様の方法で実現することができる。
【００４１】
以上説明したように、実施例１によれば、複数台ある直流電源の一部が突然喪失した場合であっても、電流指令の制限値を下げることによりインバータに供給する電力を抑え、直流電源が価負荷になるのを防止することができるためシステムの運転を継続することができる。
【実施例２】
【００４２】
図４は、本発明の実施例２に係る電動機駆動装置のブロック構成図である。各図における同一の構成には同一の符号を付し、重複する説明は省略する。
【００４３】
遮断器３１Ａ、３１Ｂは、遮断器トリップ指令発生手段３２Ａ、３２Ｂからの指令により、直流電源１１Ａ、１１Ｂからの電力供給を遮断する。
【００４４】
遮断器トリップ指令発生手段３２Ａ、３２Ｂは、直流電源１１Ａ、１１Ｂが故障、あるいは過負荷状態となったとき、遮断器３１Ａ、３１Ｂに回路を遮断するトリップ指令を出力する。
【００４５】
電流指令制限設定部１５は、このトリップ指令を受けて、電流指令の制限値を下げる。従って、実施例１と同様に、システム運転を継続することができる。
【００４６】
なお、このトリップ指令を直接使用することにより、遮断器に連動した接点を使用するより速く検出することができるため、電流指令の制限値を下げるまでの時間が短くて済む。
【００４７】
以上説明したように、実施例２によれば、複数台ある直流電源とインバータ間に設けられた遮断器の一部が突然トリップした場合、電流指令制限設定部は、当該遮断器から出力されるトリップ指令を受けて電流指令の制限値を下げることができるため、実施例１に比べて電流指令の制限値を下げるまでの時間を短くできる。
【実施例３】
【００４８】
図５は、本発明の実施例３に係る電動機駆動装置のブロック構成図である。各図における同一の構成には同一の符号を付し、重複する説明は省略する。
【００４９】
直流電源１１Ａ、１１Ｂの運転あるいは遮断状態を検出する手段がない場合に、例えば、直流電源１１Ａが突然喪失した場合、このまま運転を継続すると、インバータ１２に供給している電力が、直流電源１１Ｂに片寄り、過負荷状態となる。さらに、直流電源電圧が降下した結果、直流電流が増大して電源の損傷につながる。
【００５０】
このとき、継続して電流を流そうとして、電流制御部１３で生成する電圧指令が飽和してくるので、電流制御部１３は、電流指令制限設定部１５に対して、電圧指令が飽和状態であることを示す信号１３Ａを出力する。これを受けて、電流指令制限設定部１５は、電流指令の制限値を下げ、インバータ１２に供給する電力を抑えることにより、直流電源１１Ｂが過負荷となるのを防き、システム運転を継続することができる。
【００５１】
以上説明したように、実施例３によれば、実施例１に係る電源電圧急激低下検出手段２１Ａ、２１Ｂ又は実施例２に係る遮断器トリップ指令発生手段３２Ａ、３２Ｂによるトリップ指令がない場合であっても、電流制御部１３から電流指令制限設定部１５に対して電圧指令が飽和状態であることを示す信号を出力することにより電流指令の制限値を下げ、インバータ１２に供給する電力を抑えることにより直流電源が過負荷になることを防止することができるためシステムの運転を継続することができる。
【符号の説明】
【００５２】
１  交流電動機
２  回転検出器
１１Ａ、１１Ｂ  直流電源
１２  インバータ
１３  電流制御部
１４  速度制御部
１５  電流指令制限設定部
１６  インバータ制御部
２１Ａ、２１Ｂ  電源電圧急激低下検出手段
３１Ａ、３１Ｂ  遮断器
３２Ａ、３２Ｂ  遮断器トリップ指令発生手段
４１Ａ、４１Ｂ  基準電圧発生部
４２Ａ、４２Ｂ  比較演算部
４３Ａ、４３Ｂ  信号遅延部
４４  連続信号検出部
【図１】
2015208156.tif 000003
【図２】
2015208156.tif 000004
【図３】
2015208156.tif 000005
【図４】
2015208156.tif 000006
【図５】
2015208156.tif 000007